(57)【要約】【課題】未使用時には台座シート体の歪みの発生を低減しつつ、使用時には異物の捕捉性を高めることの可能な排水口フィルタを提供する。【解決手段】排水口フィルタ１００は、リング状の台座シート体１１０と円盤状のシート状ネット体１２０とが重ねられた未使用状態と、シート状ネット体１２０が円盤状の高さ方向に押し広げられた状態である使用状態と、の間で変形可能であり、シート状ネット体１２０は、使用状態において、押し広げられた状態でその形態を維持可能であることを特徴とする。未使用時には、台座シート体１１０とシート状ネット体１２０とが重ねられた状態であることから、台座シート体の歪みの発生を低減することができる。また、使用時には、シート状ネット体１２０が押し広げられた状態でその形態を維持可能であることから、髪の毛等の異物の捕捉性を高めることができる。【選択図】図１
2019148153.tif 000002
【特許請求の範囲】
【請求項１】
リング状の台座シート体と円盤状のシート状ネット体とを備えた排水口フィルタであって、
前記台座シート体と前記シート状ネット体とが重ねられた未使用状態と、前記シート状ネット体が円盤状の高さ方向に押し広げられた状態である使用状態と、の間で変形可能であり、
前記シート状ネット体は、前記使用状態において、押し広げられた状態でその形態を維持可能であることを特徴とする、排水口フィルタ。
【請求項２】
前記シート状ネット体には、同心円状に複数の切り込み領域が設けられ、
前記シート状ネット体は、前記使用状態において、前記複数の切り込み領域の少なくとも１つが押し広げられた状態でその形態を維持可能であることを特徴とする、請求項１に記載の排水口フィルタ。
【請求項３】
前記シート状ネット体は、外側の前記切り込み領域ほど面積が大きいことを特徴とする、請求項２に記載の排水口フィルタ。
【請求項４】
前記シート状ネット体の切り込みの少なくとも１つは、円形状又は楕円形状であることを特徴とする、請求項２又は３に記載の排水口フィルタ。
【請求項５】
前記円形状又は楕円形状の切り込みは、前記複数の切り込み領域の端部に設けられることを特徴とする、請求項４に記載の排水口フィルタ。
【請求項６】
前記台座シート体の外径は、排水口の締め付けリングの径と同じサイズであることを特徴とする、請求項１〜５のいずれかに記載の排水口フィルタ。
【発明の詳細な説明】
【技術分野】
【０００１】
本発明は、排水口に取り付けて髪の毛などの異物を捕捉するための排水口フィルタに関する。
【背景技術】
【０００２】
従来の排水口フィルタとして、台座シート体に袋状のネット体が取り付けられているものがあった。このような排水口フィルタでは、台座シート体が梱包時に押しつぶされて圧力が掛かって歪んでしまう。その状態で排水口フィルタが排水口に設置されると、台座シートの歪み部分に隙間ができ、そこへ髪の毛等の異物が入り込んでしまう。
【０００３】
この問題を解決する排水口フィルタとして、特開２０１０−１００９９２号公報（特許文献１）に開示される排水口フィルタが知られている。同文献に開示される排水口フィルタは、台座シート体とシート状ネット体からなる。このような排水口フィルタでは、未使用時には台座シートとシート状ネット体とが重ねられているため、梱包時に圧力が掛かっても台座シート体が歪んでしまうことを低減できる。よって、使用時に排水口フィルタを水平状態に保つことができる。
【先行技術文献】
【特許文献】
【０００４】
【特許文献１】特開２０１０−１００９９２号公報
【発明の概要】
【発明が解決しようとする課題】
【０００５】
しかしながら、上記特許文献１に開示されるような排水口フィルタでは、排水口フィルタを水平状態に保つことができるが、シート状ネット体が伸縮変形しづらい構成であるため、異物の捕捉性に問題があった。すなわち、シート状ネット体が伸縮変形しづらいと、使用時に髪の毛等の異物が台座シート体の表面を覆ってしまい、シート状ネット体へ異物が流れないことがある。このように、従来の排水口フィルタでは、台座シート体の歪みの発生を低減することと、異物の捕捉性を高めることを両立させることは難しいという問題があった。
【０００６】
そこで本発明は、このような問題に鑑みてなされたもので、その目的とするところは、未使用時には台座シート体の歪みの発生を低減しつつ、使用時には異物の捕捉性を高めることの可能な排水口フィルタを提供することにある。
【課題を解決するための手段】
【０００７】
上記課題を解決するために、本発明によれば、リング状の台座シート体と円盤状のシート状ネット体とを備えた排水口フィルタであって、前記台座シート体と前記シート状ネット体とが重ねられた未使用状態と、前記シート状ネット体が円盤状の高さ方向に押し広げられた状態である使用状態と、の間で変形可能であり、前記シート状ネット体は、前記使用状態において、押し広げられた状態でその形態を維持可能であることを特徴とする、排水口フィルタが提供される。
【０００８】
かかる構成によれば、未使用時には、台座シート体とシート状ネット体とが重ねられた状態であることから、台座シート体の歪みの発生を低減することができる。また、使用時には、シート状ネット体が押し広げられた状態でその形態を維持可能であることから、髪の毛等の異物の捕捉性を高めることができる。このようにして、未使用時には台座シート体の歪みの発生を低減しつつ、使用時には異物の捕捉性を高めることが可能である。
【０００９】
本発明は様々な応用が可能である。以下の応用例は適宜組み合わせることが可能である。
例えば、前記シート状ネット体には、同心円状に複数の切り込み領域が設けられ、前記シート状ネット体は、前記使用状態において、前記複数の切り込み領域の少なくとも１つが押し広げられた状態でその形態を維持可能であるようにしてもよい。かかる構成によれば、複数の切り込み領域の少なくとも１つを選択して押し広げて使用可能であり、排水口の形状や異物の発生量などに柔軟に対応することができる。
【００１０】
また、前記シート状ネット体は、外側の前記切り込み領域ほど面積が大きいようにしてもよい。シート状ネット体を押し広げた際、特に先端がすぼまる形状に押し広げた際には、外側の切り込み領域のほうが異物の捕捉量が多くなり、内側の切り込み領域のほうが異物の捕捉量が少なくなる。そこで、外側の切り込み領域ほど面積を大きくし、内側の切り込み領域ほど面積を小さくすることで、異物の捕捉量を多くすることができる。
【００１１】
また、前記シート状ネット体の切り込みの少なくとも１つは、円形状又は楕円形状であってもよい。円形状又は楕円形状の切り込みは、スリット状の切り込みに比べて、通水性がよいだけでなく、切り込みが引っ張られたときに、引っ張りの力を逃がすことができ、切り込みが割けにくくなる。なお、円形状又は楕円形状の切り込みの位置は、規則的でもランダムでもよい。
【００１２】
また、前記円形状又は楕円形状の切り込みは、前記複数の切り込み領域の端部に設けられるようにしてもよい。シート状ネット体を押し広げる際に、切り込み領域の端部にある切り込みが押し広げられにくいことがある。この点、円形状又は楕円形状など孔状の切り込みを切り込み領域の端部に設けることによって、切り込み領域の端部にある切り込みを押し広げやすくなる。
【００１３】
また、前記台座シート体の外径は、排水口の締め付けリングの径と同じサイズであってもよい。台座シート体の外径が、排水口の締め付けリングの径と異なると、段差が生じて異物が挟まりやすくなる。この点、台座シート体の外径が、排水口の締め付けリングの径と同じサイズであることによって、台座シート体と排水口の締め付けリングとの間に髪の毛などの異物が挟まるのを効果的に防止することができる。
【発明の効果】
【００１４】
本発明によれば、未使用時には台座シート体の歪みの発生を低減しつつ、使用時には異物の捕捉性を高めることの可能な排水口フィルタが提供される。本発明のその他の効果については、後述する発明を実施するための形態においても説明する。
【図面の簡単な説明】
【００１５】
【図１】第１の実施形態にかかる排水口フィルタ１００の未使用時の状態を示す図であり、（ａ）は台座シート体１１０とシート状ネット体１２０が分離した状態を示し、（ｂ）は台座シート体１１０とシート状ネット体１２０が重ねられた状態を示す。
【図２】未使用時のシート状ネット体１２０を示す平面図である。
【図３】使用時に押し広げられた状態のシート状ネット体１２０を示す斜視図である。
【図４】排水口フィルタ１００の使用時の状態を示す図であり、（ａ）は１段階押し広げた状態を示し、（ｂ）は２段階押し広げた状態を示し、（ｃ）は３段階押し広げた状態を示す。
【図５】台座シート体１１０の外径と水流との関係を示す図であり、（ａ）は台座シート体１１０の外径が排水口の締め付けリングの径と同じ場合を示し、（ｂ）は台座シート体の外径が排水口の締め付けリングの径よりも小さい場合を示す。
【図６】（第２の実施形態）切り込みが押し広げられた状態を示す図であり、（ａ）はスリット状の切り込みの場合を示し、（ｂ）は孔状の切り込みを示す。
【図７】（第３の実施形態）孔状の切り込みが切り込み領域の端部に設けられたシート状ネット体２２０を示す図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（第１の実施形態）
本実施形態に係る排水口フィルタ１００の構成について、図１〜図４を参照しながら説明する。図１は、排水口フィルタ１００の未使用時の状態を示す図であり、（ａ）は台座シート体１１０とシート状ネット体１２０が分離した状態を示し、（ｂ）は台座シート体１１０とシート状ネット体１２０が重ねられた状態を示す。
【００１８】
排水口フィルタ１００は、図１に示したように、リング状の台座シート体１１０と円盤状のシート状ネット体１２０とを備える。排水口フィルタ１００は、未使用時には台座シート体１１０と円盤状に折り畳まれたシート状ネット体１２０とが重ねられて板状に構成され、使用時にはシート状ネット体１２０が押し広げられて用いられる。排水口フィルタ１００は使い捨て可能であり、材質は紙やプラスチックで構成することができる。以下、排水口フィルタ１００の各構成要素について、詳細に説明する。
【００１９】
（台座シート体１１０）
台座シート体１１０は、この排水口フィルタ１００の台座となる部分であり、図１に示したように、リング状をしている。台座シート体１１０は、外径が１４２ｍｍ程度、内径が４６ｍｍ程度であり、厚みが０．５ｍｍ程度である。
【００２０】
台座シート体１１０の外径は、排水口の締め付けリングの径とほぼ同じサイズである。排水口の締め付けリングとは、シンクに接する部分の排水管を固定しているものであり、サイズが規格化されている。台座シート体１１０のサイズは、規格に応じて複数種類作成することも可能である。台座シート体１１０の外径に関する特徴については、さらに後述する。
【００２１】
（シート状ネット体１２０）
シート状ネット体１２０は、台座シート体１１０に取り付けられて異物を補足するためのものであり、図１に示したように、円盤状をしている。シート状ネット体１２０は、外形が１４２ｍｍ程度、厚みが０．５ｍｍ程度である。
【００２２】
シート状ネット体１２０は、未使用状態においては円盤状であり、使用状態においては、円盤状の高さ方向に押し広げられた状態で、その形態を維持可能である。この点について、図２〜図４を参照しながら説明する。
【００２３】
図２は、未使用時のシート状ネット体１２０を示す平面図である。シート状ネット体１２０には、図２に示したように、同心円状に複数の切り込み領域１２０ａ、１２０ｂ、１２０ｃが設けられている。最外の切り込み領域１２０ａには、円周方向に１８行、径方向に１８段の切り込みが形成されている。中央の切り込み領域１２０ｂは１０行１０段の切り込みが形成されている。最内の切り込み領域１２０ｃは４行４段の切り込みが形成されている。これら切り込み領域の数や、各切り込み領域における切り込みの行数や段数は一例であり、任意の形態の切り込みを形成することができる。
【００２４】
このように、シート状ネット体１２０は、外側の切り込み領域１２０ｃほど面積が大きい。シート状ネット体１２０を先端がすぼまる形状に押し広げた際には、外側の切り込み領域１２０ａのほうが異物の捕捉量が多くなり、内側の切り込み領域１２０ｃのほうが異物の捕捉量が少なくなる。そこで、外側の切り込み領域１２０ａほど切り込み数を多くして切り込み領域の面積を大きくし、内側の切り込み領域１２０ｃほど切り込みの数を少なくして切り込み領域の面積を小さくすることで、異物の捕捉量を多くすることができる。
【００２５】
各切り込みは、スリット状（線状又は矩形状）であり、押し広げることで切り込みが広がり、シート状ネット体１２０が円盤状から垂直方向に立ち上がる。シート状ネット体１２０は、この押し広げられた状態でその形態を維持可能である。各スリットは、カッター、レーザーカット加工、打ち抜き加工等により形成することができる。スリットをカッターにより形成すれば細いスリットに加工しやすい。また、レーザーカット加工によれば任意の形状に加工しやすい。また、打ち抜き加工によれば、量産に向いている。
【００２６】
図３は、使用時に押し広げられた状態のシート状ネット体１２０を示す斜視図である。
シート状ネット体１２０は、使用状態において、図３に示したように、複数の切り込み領域の少なくとも１つが押し広げられた状態でその形態を保持可能である。
【００２７】
図４は、排水口フィルタ１００の使用時の状態を示す図であり、（ａ）は１段階押し広げた状態を示し、（ｂ）は２段階押し広げた状態を示し、（ｃ）は３段階押し広げた状態を示す。なお、切り込み領域１２０ａ、１２０ｂ、１２０ｃのうちどれを押し広げるか、また、どの順序で押し広げるかなどは任意である。例えば、必ずしも図４（ａ）、図４（ｂ）、図４（ｃ）の順で押し広げなくてもよい。また例えば、最外の切り込み領域１２０ａと中央の切り込み領域１２０ｂを押し広げたり、最外の切り込み領域１２０ａと最内の切り込み領域１２０ｃを押し広げたりなど、任意の形態に押し広げて使用することができる。
【００２８】
以上、排水口フィルタ１００の構成について説明した。次に、排水口フィルタ１００の使用方法について、図５を参照しながら説明する。図５は、台座シート体１１０の外径と水流との関係を示す図であり、（ａ）は台座シート体１１０の外径が排水口の締め付けリングＤの径と同じ場合を示し、（ｂ）は台座シート体の外径が排水口の締め付けリングＤの径よりも小さい場合を示す。
【００２９】
排水口フィルタ１００の使用時には、上述したように、シート状ネット体１２０を図３、図４に示したように押し広げる。排水口の形状や異物の発生量などに応じて任意の形態に押し広げることができる。そして、排水口フィルタ１００を、図５（ａ）に示したように、排水口の締め付けリングＤに設置する。
【００３０】
台座シート体１１０は、図５（ａ）に示したように、締め付けリングＤの径と同じサイズである。なお、図５（ｂ）に示したように、台座シート体の外径が、排水口の締め付けリングＤの径と異なると、段差が生じて異物が挟まりやすくなる。この点、台座シート体１１０の外径が、排水口の締め付けリングＤの径と同じサイズであることによって、台座シート体１１０と排水口の締め付けリングＤとの間に髪の毛などの異物Ｈが挟まるのを効果的に防止することができる。
【００３１】
図５（ａ）に示したように、水流に乗って異物Ｈが運ばれるが、排水口フィルタ１００によって異物Ｈを捕捉することができる。
【００３２】
（第１の実施形態の効果）
以上説明したように、本実施形態によれば、未使用時には、台座シート体１１０とシート状ネット体１２０とが重ねられた状態であることから、台座シート体１１０の歪みの発生を低減することができる。また、使用時には、シート状ネット体１２０が押し広げられた状態でその形態を維持可能であることから、髪の毛等の異物の捕捉性を高めることができる。このようにして、未使用時には台座シート体１１０の歪みの発生を低減しつつ、使用時には異物の捕捉性を高めることが可能である。
【００３３】
また、シート状ネット体１２０には、同心円状に複数の切り込み領域１２０ａ、１２０ｂ、１２０ｃが設けられ、シート状ネット体１２０は、使用状態において、複数の切り込み領域１２０ａ、１２０ｂ、１２０ｃの少なくとも１つが押し広げられた状態でその形態を維持可能であるようにしたことで、複数の切り込み領域１２０ａ、１２０ｂ、１２０ｃの少なくとも１つを選択して押し広げて使用可能であり、排水口の形状や異物の発生量などに柔軟に対応することができる。
【００３４】
また、シート状ネット体１２０は、外側の切り込み領域ほど面積を大きくし、内側の切り込み領域ほど面積を小さくすることで、異物の捕捉量を多くすることができる。
【００３５】
また、台座シート体１１０の外径が、排水口の締め付けリングＤの径と同じサイズであることによって、台座シート体１１０と排水口の締め付けリングＤとの間に髪の毛などの異物Ｈが挟まるのを効果的に防止することができる。
【００３６】
以下、上記第１の実施形態の応用例について説明する。以下の実施形態においては、上記第１の実施形態と異なる点を中心に説明することとし、上記第１の実施形態と実質的に同様の点については、重複説明を省略することがある。
【００３７】
（第２の実施形態）
本実施形態の排水口フィルタは、シート状ネット体における切り込みの形態が上記第１の実施形態のシート状ネット体１２０と異なるものである。台座シート体については、上記第１の実施形態の台座シート体１１０と同様のものを用いることができる。本実施形態のシート状ネット体について、図６を参照しながら説明する。図６は、切り込みが押し広げられた状態を示す図であり、（ａ）はスリット状の切り込みの場合を示し、（ｂ）は孔状の切り込みを示す。
【００３８】
上記第１の実施形態では、シート状ネット体１２０の切り込みは、細長い矩形状のスリットであった。このスリットでは、シート状ネット体１２０を押し広げると、図６（ａ）に示したような略菱型になる（図３も参照）。この菱型は図６（ａ）に示したように角に屈曲部１２２ａを有する。シート状ネット体１２０は、この屈曲部１２２ａに起因して、水に濡れたときなどに裂けやすい。
【００３９】
本実施形態のシート状ネット体は、図６（ｂ）に示したように、孔状の切り込み２２２を少なくとも１つ以上有する。孔状とは、例えば略円形状又は略楕円形状であり、屈曲部１２２ａに代えて角にアールを施した形状である。このような孔状の切り込み２２２は、例えばレーザーカット加工により構成することができる。
【００４０】
孔状の切り込み２２２は、スリット状の切り込みに比べて、通水性がよいだけでなく、切り込みが引っ張られたときに、引っ張りの力を逃がすことができ、切り込みが割けにくくなる。なお、孔状の切り込みの位置は、規則的でもよくランダムでもよい。
【００４１】
（第２の実施形態の効果）
以上説明したように、本実施形態によれば、孔状の切り込み２２２を設けたことで、スリット状の切り込みに比べて、通水性がよいだけでなく、切り込みが引っ張られたときに、引っ張りの力を逃がすことができ、切り込みが割けにくくなる。
【００４２】
（第３の実施形態）
本実施形態の排水口フィルタは、上記第２の実施形態の応用例であり、シート状ネット体における切り欠き部の配置に特徴を有するものである。台座シート体については、上記第１の実施形態の台座シート体１１０と同様のものを用いることができる。本実施形態のシート状ネット体２２０について、図７を参照しながら説明する。
【００４３】
図７は、孔状の切り込み（貫通孔）２２０ｃが切り込み領域の端部や間に設けられたシート状ネット体２２０を示す図である。本実施形態のシート状ネット体２２０は、図７に示したように、上記実施形態と同様に複数の切り込み領域２２０ａ、２２０ｂが設けられている。そして、孔状の切り込み２２０ｃが切り込み領域２２０ａ、２２０ｂの端部や間に設けられている。孔状の切り込み２２０ｃは、上記第２の実施形態と同様に、略円形状又は略楕円形状である。
【００４４】
シート状ネット体２２０を押し広げる際に、切り込み領域２２０ａ、２２０ｂの端部にある切り込みが押し広げられにくいことがある。この点、略円形状又は略楕円形状など孔状の切り込み２２０ｃを切り込み領域の端部や間に設けることによって、切り込み領域２２０ａ、２２０ｂの端部にある切り込みを押し広げやすくなる。
【００４５】
（第３の実施形態の効果）
以上説明したように、本実施形態によれば、略円形状又は略楕円形状など孔状の切り込み（貫通孔）２２０ｃを切り込み領域２２０ａ、２２０ｂの間に設けることによって、切り込み領域２２０ａ、２２０ｂの端部にある切り込みを押し広げやすくなる。
【００４６】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００４７】
例えば、上記実施形態では、シート状ネット体には、同心円状に複数の切り込み領域が設けられる場合について説明したが、本発明はこれに限定されない。同心円状に複数の切り込み領域を設けなくてもよい。また、複数の切り込み領域を設ける場合でも、その形態は任意であり、必ずしも同心円状に設けなくてもよい。
【００４８】
また、上記実施形態では、シート状ネット体１２０は、外側の切り込み領域ほど面積が大きい場合について説明したが、本発明はこれに限定されない。外側の切り込み領域ほど面積が小さくてもよく、同じでもよい。また、各切り込み領域における切り込みの行の間隔や列の間隔も適宜調整可能である。切り込み領域の面積（表面積）や切り込みの数は、排水口の形（お風呂や洗面所の排水口などさまざまな形）に合わせたものを複数用意することができる。
【００４９】
また、上記実施形態では、台座シート体１１０の外径が、排水口の締め付けリングの径と同じサイズである場合について説明したが、本発明はこれに限定されない。台座シート体の外径が、排水口の締め付けリングの径より大きくてもよく、小さくてもよい。
【００５０】
上記実施形態で説明した各部材のサイズ等は一例に過ぎない。例えば、台座シート体は、上記実施形態の例よりも内径が大きくてもよく、厚みが薄くてもよい。また、シート状ネット体１２０上に、ポリプロピレンなどのラミネートや硬化インキ厚盛樹脂印刷加工などを施すことによって台座シート体としての機能を持たせるようにしてもよい。また、台座シート体やシート状ネット体にデザイン印刷してもよい。
【００５１】
上記実施形態、応用例、変形例は、任意に組み合わせて実施することができる。
【符号の説明】
【００５２】
１００  排水口フィルタ
１１０  台座シート体
１２０  シート状ネット体
１２０ａ、１２０ｂ、１２０ｃ  切り込み領域
２２０  シート状ネット体
２２０ａ、２２０ｂ  切り込み領域
２２０ｃ  孔状の切り込み（貫通孔）
Ｄ  排水口の締め付けリング
Ｈ  髪の毛などの異物
【図１】
2019148153.tif 000003
【図２】
2019148153.tif 000004
【図３】
2019148153.tif 000005
【図４】
2019148153.tif 000006
【図５】
2019148153.tif 000007
【図６】
2019148153.tif 000008
【図７】
2019148153.tif 000009